(57)【特許請求の範囲】
【請求項１】
枠体１内から外部に引き出した電源コード２を備える機器の電源コードの取付け構造において、
枠体１には電源コード２が貫通する開口部３を設け、
電源コード２を固定するための係合部４を開口部３よりも上方の枠体１内に設け、枠体１内の係合部４から下方に向かって伸びる電源コード２は枠体１内の側面に沿って配置し、
かつ、前記開口部３は床面との間に所定間隔をあけた高所に配置し、前記開口部３の下端が機器を設置する部屋の壁面Ａの幅木Ｂよりも高所に位置するように設け、
前記開口部３から枠体１外に伸びる電源コード２を前記幅木Ｂよりも高所で枠体１の側面に沿って引き出し可能に設けたことを特徴とする機器の電源コードの取付け構造。
【請求項２】
前記係合部４には係合孔４ａを形成し、前記電源コード２には係合孔４ａと嵌合する係合溝５ａを備えたコードブッシュ５を取付け、
コードブッシュ５の係合溝５ａと係合孔４ａの係合によって電源コード２を係合部４に取付けると共に、
枠体１にはコードブッシュ５と対向する位置に係止部１ａを形成し、該係止部１ａがコードブッシュ５に当接して電源コード２を固定することを特徴とする請求項１に記載した機器の電源コードの取付け構造。
【請求項３】
前記開口部３の下部には枠体１内に向けて傾斜案内部３ａを形成し、前記電源コード２は前記係合部４から前記傾斜案内部３ａに向かって下方に伸ばされ、前記傾斜案内部３ａに沿って前記開口部３から斜めに引き出したことを特徴とする請求項１又は２に記載の機器の電源コードの取付け構造。
【発明の詳細な説明】
【技術分野】
【０００１】
この発明は、機器に備える電源コードの取付け構造に関するものである。
【背景技術】
【０００２】
家庭用の交流電源を用いる電気機器は、電源コードが枠体背面の下部に設けた取付け孔から外部に引き出されており、この電源コードには、電源コードが引き抜かれたり、枠体内に押し込まれたりすることを防止するためにコードブッシュが設けてあり、電源コードはコードブッシュによって枠体内のベースに設けた取付け片に固定されている。
【特許文献１】実開平４−３６７７６号公報。
【発明の開示】
【発明が解決しようとする課題】
【０００３】
従来の機器は、枠体下部に取付けた電源コードのコードブッシュの一部が枠体の外方に突出し、電源コードはコードブッシュの端部から横向きに引き出されているため、機器を部屋に置いたときに枠体外に突出する電源コードのコードブッシュが邪魔になることがあった。
【０００４】
また、機器は部屋の隅の壁面近くに置かれることが多いが、機器を壁面に近づけすぎると横方向に引き出された電源コードとコードブッシュが壁面に接触し、電源コードがコードブッシュ付近で折れ曲がってしまい、電源コードのコードブッシュ部分に負荷がかかり、電源コードの断線等の原因になることがある。
【０００５】
また、部屋の壁面の下部には幅木とよばれる横板が取付けられており、この壁面の下部の幅木は室内に突出しており、枠体下部のベースに取付けた電源コードのコードブッシュが壁面下部の幅木と同じ高さに位置しているため、電源コードやコードブッシュが幅木にあたらないように機器を置くと、枠体背面と壁面との間に広い隙間があいてしまうものであった。
【課題を解決するための手段】
【０００６】
この発明は上記の課題を解決して室内の壁面に寄せて使用できる機器を提案するもので、枠体１内から外部に引き出した電源コード２を備える機器の電源コードの取付け構造において、枠体１には電源コード２が貫通する開口部３を設け、電源コード２を固定するための係合部４を開口部３よりも上方の枠体１内に設け、枠体１内の係合部４から下方に向かって伸びる電源コード２は枠体１内の側面に沿って配置し、かつ、前記開口部３は床面との間に所定間隔をあけた高所に配置し、前記開口部３の下端が機器を設置する部屋の壁面Ａの幅木Ｂよりも高所に位置するように設け、前記開口部３から枠体１外に伸びる電源コード２を前記幅木Ｂよりも高所で枠体１の側面に沿って引き出し可能に設けたことを特徴とするものである。
【０００７】
また、係合部４には係合孔４ａを形成し、前記電源コード２には係合孔４ａと嵌合する係合溝５ａを備えたコードブッシュ５を取付け、コードブッシュ５の係合溝５ａと係合孔４ａの係合によって電源コード２を係合部４に取付けると共に、枠体１にはコードブッシュ５と対向する位置に係止部１ａを形成し、該係止部１ａがコードブッシュ５に当接して電源コード２を固定するから、簡単な構造で確実に電源コード２を取付けることができる。
【０００８】
また、前記開口部３の下部には枠体１内に向けて傾斜案内部３ａを形成し、前記電源コード２は前記係合部４から前記傾斜案内部３ａに向かって下方に伸ばされ、前記傾斜案内部３ａに沿って前記開口部３から斜めに引き出したから、電源コード２が開口部３部分で折れ曲がることはなく、電源コード２の破損を防ぐことができる。
【発明の効果】
【０００９】
この発明では電源コード２が貫通する開口部３を床面から所定間隔あけた高所に設けると共に、電源コード２の係合部４を枠体１内に設け、係合部４から開口部３に至る電源コード２を枠体１に沿って配置したものであり、開口部３からは電源コード２のみが引き出され、電源コード２は枠体１に沿って配置することができたものである。
【００１０】
このため、機器を壁面に近づけたときに壁面下部に突出する幅木に枠体１の下部を接触させても、開口部３から枠体１に沿って引き出された電源コード２を枠体１と壁面との間にできる隙間に位置させることができ、枠体１を部屋の壁面に近づけても電源コード２が幅木と接触して折れ曲がることはないので、枠体１と壁面との間に大きな隙間をあけることなく設置できるものとなり、機器の設置スペースを少なくできた。
【００１１】
また、この発明の電源コード２は、電源コード２のコードブッシュ５に設けた係合溝５ａを枠体１内の係合部４の係合孔４ａに係合し、枠体１にはコードブッシュ５に当接する係止部１ａを設けて電源コード２を固定する構成としたから、部品点数や組立工程を増加することなく簡単な構造で確実に電源コード２の取付けができると共に、電源コード２のコードブッシュ５が枠体１内に位置しているから、機器の設置スペースを少なくできた。
【００１２】
また、電源コード２が貫通する開口部３には枠体１内に向けて傾斜案内部３ａを形成し、電源コード２をこの傾斜案内部３ａに沿って斜めに引き出すことで、電源コード２の引き出しがスムーズに行われ、開口部３部分での電源コード２の折れ曲がりを防ぐことができるから、電源コード２の断線等の不良を発生させることはないものである。
【発明を実施するための最良の形態】
【００１３】
図に示す実施例によってこの発明を説明すると、１ｂは電子部品を備えた機器のベース、１はベース１ｂの上に配置した機器の枠体であり、枠体１内のベース１ｂの上に各電子部品が設置されている。
【００１４】
２は枠体１内に設置した電子部品に電源を供給するための電源コード、５は電源コード２を保護するために電源コード２に取付けたコードブッシュ、４は枠体１内に設けた電源コード２の係合部、３は枠体１の側面に設けた開口部であり、電源コード２はコードブッシュ５を介して枠体１内の係合部４に取付けられ、開口部３から枠体１外に引き出されており、コードブッシュ５は外力によって電源コード２が引き抜かれたり、押し込まれたりすることを防いでいる。
【００１５】
Ａは機器を使用する部屋の壁面、Ｂは壁面Ａの下部の損傷や汚れを防ぐために壁面Ａの下部に沿って設けた幅木であり、該幅木Ｂは壁面Ａ下部の床面と接する部分に配置され、幅木Ｂは壁面Ａよりも室内側に突出した構成となっている。
【００１６】
ところで、従来の電気機器は電源コード２の係合部４が枠体１のベース１ｂに形成され、電源コード２のコードブッシュ５の一部が枠体１外に突出しており、この突出したコードブッシュ５の端から電源コード２が側方に引き出されているものが一般的な構造であった。
【００１７】
このため従来では、電源コード２のコードブッシュ５と壁面Ａ下部の幅木Ｂとが同じ高さに位置しており、機器を壁面Ａに近づけたときに電源コード２やコードブッシュ５が壁面Ａ下部の幅木Ｂと接触して電源コード２が折れ曲がってしまうものであり、電源コード２やコードブッシュ５と幅木Ｂとの接触を避けるために枠体１を幅木Ｂから離して設置しなければならず、枠体１と壁面Ａとの間には広い隙間があいてしまうものであった。
【００１８】
この発明はこの課題を解決するもので、枠体１の開口部３を床面から所定間隔あけた高所に配置したものであり、図２・３に示すように開口部３は壁面Ａ下部の幅木Ｂより高所に位置している。電源コード２の係合部４は開口部３の高さに合わせて枠体１内の高所に配置しており、４ｂは枠体１のベース１ｂから上方に立ち上げた取付け片であり、係合部４は開口部３より上方の取付け片４ｂに形成している。
【００１９】
電源コード２は枠体１内の係合部４にコードブッシュ５を介して取付けられ、電源コード２は枠体１の側面に沿って下方の開口部３に向かって伸びており、開口部３から枠体１外に引き出され、枠体１外に引き出された電源コード２は枠体１に沿って下方の床面に向けて配置している。
【００２０】
このように、電源コード２のコードブッシュ５を枠体１内に位置させて、開口部３からは電源コード２のみを引き出した構造としたから、枠体１外に引き出された電源コード２は枠体１の背面に沿って配置することができたものであり、機器を壁面Ａに近づけたときに、枠体１を壁面Ａや幅木Ｂに接触させても電源コード２が折れ曲がることは無くなり、電源コード２の断線等の不良を発生させることはなくなった。
【００２１】
また、機器を壁面Ａに近づけるときは電源コード２を少しだけ持ち上げて幅木Ｂと接触しない位置に逃がしてやれば、枠体１が幅木Ｂと接触する位置まで近づけることができ、電源コード２は枠体１と壁面Ａとの間の隙間に位置させることができ、更に電源コード２は隙間から容易に外側に引き出すことができるので、設置場所をとらない機器が提供できるものとなった。
【００２２】
また、この発明の実施例を示す図４において、４ａは係合部４に形成した係合孔、５ａは電源コード２のコードブッシュ５に設けた係合溝であり、コードブッシュ５の係合溝５ａを係合部４の係合孔４ａに差込むことで、電源コード２を係合部４に取付けることができるものである。
【００２３】
１ａは枠体１内に向けて形成したＬ字状の折り曲げ片で構成する係止部であり、該係止部１ａは係合部４に取付けた電源コード２のコードブッシュ５の側方に位置しており、枠体１を組み付けたときに係止部１ａがコードブッシュ５の側部に当接して電源コード２を固定するものであり、係止部１ａによって固定された電源コード２は係合部４から外れることはなく、また電源コード２のがたつきも防ぐことができる。
【００２４】
この構成であれば、電源コード２の固定にネジ等の部品を必要としないから、部品点数や組立工程を増加することなく簡単な構成で電源コード２の取付け構造が実現できたものである。
【００２５】
また、枠体１内に電源コード２のコードブッシュ５を設けても、電源コード２は枠体１の側面に沿って配置しているので、枠体１内の電源コード２の設置スペースは少なくでき、枠体１の形状が大きくなることはなく、コードブッシュ５が側方に突出する従来の機器に比べて機器が必要とする設置スペースを少なくすることができるものとなった。
【００２６】
また、３ａは開口部３の下部に設けた傾斜案内部であり、実施例の傾斜案内部３ａは枠体１内の上方に向かって傾斜しており、係合部４から下方に伸びる電源コード２は傾斜案内部３ａに沿って配置され、開口部３から斜め下方に向かって引き出すことができる。
【００２７】
このように開口部３に傾斜案内部３ａを設けることで、電源コード２を開口部３から引き出すときに電源コード２が折れ曲がることなく、スムーズに開口部３から引き出すことができるから、電源コード２の断線等による不良の発生を防止することができるものである。
【図面の簡単な説明】
【００２８】
【図１】この発明を実施する電源コードを備えた機器の要部断面図である。
【図２】この発明を実施する電源コードを備えた機器の設置状態を示す要部の側面図である。
【図３】この発明を実施する電源コードを備えた機器の設置状態を示す背面図である。
【図４】この発明を実施する電源コードを備えた機器の組付時の状態を示す要部の断面斜視図である。
【符号の説明】
【００２９】
１    枠体
１ａ  係止部
２    電源コード
３    開口部
３ａ  傾斜案内部
４    係合部
４ａ  係合孔
５    コードブッシュ
５ａ  係合溝
【図１】
0004752370.tif 000002
【図２】
0004752370.tif 000003
【図３】
0004752370.tif 000004
【図４】
0004752370.tif 000005